(57)【特許請求の範囲】
【請求項１】
複数台のファンを備えた送風ファン装置において、複数台のファンについてファン回転数の最大値と最小値とを検出する手段と、この最小値と最大値との比を計算する手段と、基準値を記憶する手段と、前記最小値と最大値との比と前記基準値とを比較する手段とを具え、最小値と最大値との比が基準値以下になる場合、故障を示す信号を出力することを特徴とする送風ファン装置。
【請求項２】
複数台のファンと、温度を検出する温度検出部と、ファン毎に回転数を検出する回転数検出部と、ファンの回転数を増減制御するファン制御部と、ファンの故障検出値を記憶する記憶部と、ファン回転数の最小値と最大値との比を計算する演算部と、前記記憶部に記憶している故障検出値と演算部が計算した比の値の大小を判定する判定部とを具えた送風ファン装置。
【請求項３】
上記演算部が、ファン毎の回転数に基づく平均回転数を計算しさらにファン回転数の最小値とこの平均回転数との比を計算するとともに、上記記憶部にファンの第二故障検出値を記憶させ、上記判定部が第二故障検出値と演算部が計算した比の値の大小を判定することを特徴とする請求項２記載の送風ファン装置。
【請求項４】
上記回転数検出部を、順次ファン毎に回転数の所定時間の平均回転数を求めるように構成した請求項２記載の送風ファン装置。
【請求項５】
上記ファンを、温度に応じて回転数が連続可変動作するものとした請求項２記載の送風ファン装置。
【発明の詳細な説明】
【０００１】
【発明の属する技術分野】
本発明は、複数のファンを備えた送風ファン装置に関する。
【０００２】
【従来の技術】
例えば、42インチのＰＤＰ（Plasma Display Panel) などでは、温度により回転数を可変する５台等のファンを備えた送風ファン装置を設け、パネル内部の温度が高温にならないように、強制空冷を行なっている。
【０００３】
図２は送風ファン装置のファンの運転動作を説明する図であり、ファンの回転数が切替え動作する例（イ）、ファンの回転数が連続可変動作する例（ロ）及び、複数のファンのうちの最大回転数と最小回転数を示す図（ハ）である。
【０００４】
従来のＰＤＰで使用している送風ファン装置は、図２（イ）に示すように、ＰＤＰ内の所要部に設置した温度センサの信号に基づき、温度ｔａを切替え値としてファンが高速回転と、中速回転を切替えて運転を行なう。例えば、ｔａ＝37度Ｃ以上でファンが高速回転する。
さらに、ファンが故障し回転し難くなった場合、そのときの回転数が標準回転数から、予め、設定している値以下に回転数が低下していることを検知し、故障信号を出力することにより、ＰＤＰ側は電源の供給を遮断して、温度上昇によるＰＤＰの損傷を防止している。
【０００５】
実際に、上記ＰＤＰを平面テレビ等として室内で使用する場合、ファンの騒音が中速回転においてもテレビの音声を妨害し、耳障りであった。そこで、図２（ロ）に示すように、低温の切替え値ｔｂと、高温の切替え値ｔｃを設けファンの回転数が連続可変動作する送風ファン装置を設けるようにした。
この種の送風ファン装置は、例えば、制御端子にサーミスタを外付けすることにより、このサーミスタが検出した温度に応じて回転数を可変するとともに、回転信号出力端子から回転数に応じたパルスを出力するものである。そして、図２（ロ）に示すように、ｔｂ未満の低温域ではファンの回転数が極めて低速で、ｔｂ以上ｔｃ未満の領域は回転数が徐々に連続的に上昇し、ｔｃ以上で高速回転する。従って、普通の室温における使用状況ではファンの回転数が極めて低速又は、低速であり、その結果ファンの動作音は静かである。
【０００６】
ところで、上記ファンの回転数が連続可変動作する送風ファン装置では、ファンの故障を検知するための故障検知回転数も、温度に応じて可変させる必要がある。即ち、図２（ロ）に示すように、ファンの標準回転数を表すグラフから、温度に応じて所要値だけ低下した回転数を示すグラフ（鎖線で示す）を求めることになる。
【０００７】
しかし、温度に応じた上記故障検知回転数を求めるには、例えば、数値計算する手段を設ける、又は、温度と回転数の参照表を用意するなどの、送風ファン装置へのハード、ソフトの付加が必要となり、コストアップの問題があった。
【０００８】
【発明が解決しようとする課題】
本発明は上記問題点に鑑みなされたもので、低廉で簡易にファンの故障を検知できる送風ファン装置を提供することを目的とする。
【０００９】
【課題を解決するための手段】
上記目的を達成するために、複数台のファンを備えた送風ファン装置において、複数台のファンについてファン回転数の最大値とファン回転数の最小値とを検出し、この最小値と最大値との比が所定値以下になることを検知し、検知結果を示す信号を出力する。
【００１０】
また、複数台のファンと、温度を検出する温度検出部と、ファン毎に回転数を検出する回転数検出部と、ファンの回転数を増減制御するファン制御部と、ファンの故障検出値を記憶する記憶部と、ファン回転数の最小値と最大値との比を計算する演算部と、前記記憶部に記憶している故障検出値と演算部が計算した結果との大小を判定する判定部とを具えた
【００１１】
また、上記演算部が、ファン毎の回転数に基づく平均回転数を計算しさらにファン回転数の最小値とこの平均回転数との比を計算するとともに、上記記憶部にファンの第二故障検出値を記憶させ、上記判定部が第二故障検出値と演算部が計算した結果との大小を判定する。
【００１２】
また、上記回転数検出部を、順次ファン毎に回転数の所定時間の平均回転数を求めるように構成した。
【００１３】
また、上記ファンを、温度に応じて回転数が連続可変動作するものとした。
【００１４】
【発明の実施の形態】
以上のように構成したので、本発明による送風ファン装置について、図を用いて詳細に説明する。図１は本発明による送風ファン装置の一例を示すブロック図である。
１は複数台の、例えば、温度に応じて回転数が連続可変動作するファンを備えたファン部である。２は、例えば、ＰＤＰ（Plasma Display Panel) パネルの内部の所要位置に設置され温度を検出するサーミスタ等で構成した温度検出部である。３は各ファンが出力するパルスに基づきファン毎の回転数を検出する回転数検出部である。
４は、前記ファン部１の回転数を増減制御するファン制御部である。５は定数であるファンの故障検出値を記憶する、不揮発メモリで構成した記憶部である。６はファン回転数の最小値と最大値との比を計算する演算部である。７は、前記記憶部５に記憶している故障検出値と、演算部６が計算した結果との大小を判定する判定部である。８は以上の各部を制御する制御部である。
【００１５】
温度検出部２が検出した温度は、制御部８を経由してファン制御部４に伝送され、このファン制御部４はファン部１の回転数を増減制御する。
【００１６】
回転数検出部３はファンが出力するパルスに基づきファン毎の回転数を検出し、例えば、順次ファン１からファンｎに至るまで、ファン毎に回転数の１秒間などの平均回転数を求める。演算部６は、前記平均回転数に基づきファン回転数の最小値と最大値とを検出しその比を計算する。判定部７は、前記記憶部５に記憶している、例えば、ファン回転数の誤差に基づく故障検出値と、演算部６が計算した結果との大小を判定する。その結果、制御部８は判定結果に応じた信号、例えば、演算部６が算出した比が故障検出値よりも小の場合は、故障有りを示す、例えば、電圧で「高」を出力する。
【００１７】
上記判定部７が行なう結果の判定動作を、図２（ハ）を参照して具体的に説明する。
例えば、送風ファン装置が使用しているファンの許容回転誤差を、プラスマイナス10％であるとすると、許容範囲内の複数のファンの最大回転数(max：Ａ）はプラス10％であり、最小回転数(mini ：Ｂ）はマイナス10％である。従って、この最小回転数と最大回転数との比（Ｂ／Ａ）は「0.9 ÷1.1 ＝0.818・・・」で、良品は１から0.818・・・のバラツキ範囲内にある。従って、故障検出値は0.82であり、この値未満の場合は故障が発生したと判定する。
仮に、1 台のファンが故障したため標準回転数の70％となったとすると、このときの最小回転数と最大回転数との比は「0.7 ÷1.1 ＝0.636・・・乃至0.7 ÷0.9 ＝0.777・・・」で約0.78未満であり、故障検出値（0.82）未満であるので故障であると判定できる。
尚、上記最小回転数と最大回転数との比（Ｂ／Ａ）は、許容回転誤差に基づくものであり、温度に依存せず一定の値をとるので、記憶部５に記憶させて故障検出値とする。
【００１８】
また、最大回転数(max：Ａ）の代わりに、演算部６が、ファン毎の回転数に基づく平均回転数を計算し、この平均回転数と、前記最小回転数を用いて比を計算するようにしても良い。例えば、この最小回転数と平均回転数との比は「0.9 ÷1.0 ＝0.9 」で、良品は１から0.9 のバラツキ範囲内にある。従って、この例での第二故障検出値は0.9 である。何となれば、平均回転数は多くの場合に標準回転数に等しいと見なせる。この場合、記憶部５にファンの第二故障検出値（0.9 ）を記憶させ、判定部７がこの第二故障検出値と、演算部６が計算した比の値との大小を判定する。
【００１９】
【発明の効果】
以上説明したように、本発明は低廉で簡易にファンの故障を検知できる送風ファン装置を提供する。
要約すると、本発明はファンの故障を検知するための標準回転数からの低下分の回転数（故障検知回転数）を直接求めず、最小回転数と最大回転数との比を求め、この比の値と定数である故障検出値とにより、故障の判定を可能とするもであるから、数値計算する手段や、温度と回転数の参照表等は不要である。
従って、従来の送風ファン装置への変更は必要なく、マイコンのプログラム追加で実現できるので、低廉で簡易に実施できるメリットがある。
【００２０】
また、本発明はファンの回転数が固定の送風ファン装置、可変回転の送風ファン装置又は、連続可変動作する送風ファン装置の何れにも適用されるので、広い分野で利用できるメリットがある。
【図面の簡単な説明】
【図１】本発明による送風ファン装置の一例を示すブロック図である。
【図２】送風ファン装置のファンの運転動作を説明する図であり、ファンの回転数が切替え動作する例（イ）、ファンの回転数が連続可変動作する例（ロ）及び、複数のファンのうちの最大回転数と最小回転数を示す図（ハ）である。
【符号の説明】
１  ファン部
２  温度検出部
３  回転数検出部
４  ファン制御部
５  記憶部
６  演算部
７  判定部
８  制御部
【図１】
0003641910.tif 000002
【図２】
0003641910.tif 000003